(57)【要約】      （修正有）【課題】金型と置き台との間の部分に錆が発生することを抑制する金型用の置き台を提供する。【解決手段】置き台１００は、台座１１０と、永久磁石１２０とを有する。置き台１００は、永久磁石１２０の磁力により金型１０の下面１１Ｄに取り付けられる。永久磁石１２０の上面は、永久磁石１２０の厚さ分だけ台座１１０の上面よりも上側に位置している。そのため、永久磁石１２０の上面が金型１０の下面１１Ｄに当接するとき、金型１０の下面１１Ｄと、台座１１０の上面との間には、永久磁石１２０の厚さ分だけ隙間が形成される。【選択図】図２
0003231496.tif 000002
【実用新案登録請求の範囲】
【請求項１】
金型用の置き台であって、
長手方向に延在し、前記長手方向に直交する高さ方向の一方側を向く第１面及び前記高さ方向の他方側を向く第２面を有する台座と、
前記台座の前記第１面に固定された永久磁石であって、前記高さ方向の前記一方側を向く第３面を有する永久磁石と、を備え、
前記永久磁石の前記第３面と、前記台座の前記第１面とは、前記高さ方向において所定の間隙をもって離れていることを特徴とする金型用の置き台。
【請求項２】
前記台座の前記第２面は、前記高さ方向の前記一方側に凹んだ凹部を有することを特徴とする請求項１に記載の金型用の置き台。
【請求項３】
前記永久磁石はネオジム磁石であり、
前記台座は廃プラスチック、又はガラス繊維を含んだエンジニアプラスチックにより形成されている請求項１又は２に記載の金型用の置き台。
【請求項４】
前記台座は、廃プラスチック、又はガラス繊維を含んだエンジニアプラスチックに混入された色材により着色されていることを特徴とする請求項３に記載の金型用の置き台。
【請求項５】
前記永久磁石には、前記高さ方向に貫通する貫通孔が形成されており、
前記永久磁石は、前記貫通孔に挿入されたネジにより前記台座に固定されている請求項１〜４のいずれか一項に記載の金型用の置き台。
【考案の詳細な説明】
【技術分野】
【０００１】
本考案は、金型の下面に設けられた水口を保護するための金型用置き台であって、金型の水口を取り外さなくても使用できる金型用の置き台に関する。
【背景技術】
【０００２】
プラスチック等の合成樹脂の加工に用いられる金型は冷却水で冷却する必要があり、金型の下面には、通常、冷却水用の水口が設けられている。そのため、金型をラックに収納して一時的に保管する場合などには、水口がラックに当接して破損することを防ぐために、金型の下面とラックとの間に、置き台（スペーサ）を配置する必要がある。
【０００３】
例えば、特許文献１には、直方体形状の台本体と、台本体の上面に設けられた嵌合穴に埋設された永久磁石とを備える置き台が開示されている。永久磁石の磁力を利用して、置き台を金型の下面に取り付けることができる。
【先行技術文献】
【特許文献】
【０００４】
【特許文献１】実開昭６２−１１６８１３号公報
【考案の概要】
【考案が解決しようとする課題】
【０００５】
上述のように、金型の下面には冷却水用の水口が設けられており、水口は下方に向かって開口している。そのため、金型をラックなどに載置しているときに、金型の水口から水が流れ出ることがあり、流れ出た水の一部が金型の下面に濡れ広がる場合がある。上述の特許文献１に記載の置き台では、台本体の上面と、嵌合穴に埋設された永久磁石の表面とが面一になっているので、置き台を金型の下面に取り付けた際に、置き台の上面と金型の下面との間にはほとんど隙間が形成されない。金型の下面に水が濡れ広がった場合、毛細管現象によって、置き台の上面と金型の下面のごくわずかな隙間に水分が入り込むことがあるが、隙間がわずかであるため、入り込んだ水分を取り除くことが困難となる。置き台の上面と金型の下面との間に入り込んだ水分を放置すると、金型に錆が発生する可能性が高い。
【０００６】
本考案の目的は、金型に置き台を取り付けた場合に、金型の、置き台との間の部分に錆が発生することを抑制するための技術を提供することである。
【課題を解決するための手段】
【０００７】
本考案の態様に従えば、金型用の置き台であって、
長手方向に延在し、前記長手方向に直交する高さ方向の一方側を向く第１面及び前記高さ方向の他方側を向く第２面を有する台座と、
前記台座の前記第１面に固定された永久磁石であって、前記高さ方向の前記一方側を向く第３面を有する永久磁石と、を備え、
前記永久磁石の前記第３面と、前記台座の前記第１面とは、前記高さ方向において所定の間隙をもって離れており、
前記台座の前記第２面は、前記高さ方向の前記一方側に凹んだ凹部を有することを特徴とする金型用の置き台が提供される。
【考案の効果】
【０００８】
上記態様によれば、台座の第１面と、永久磁石の第３面とは、いずれも高さ方向の一方側を向く面である。そして、永久磁石の第３面と、台座の第１面とは、高さ方向において所定の間隙をもって離れている。置き台を金型に取り付ける際、金型の下面と永久磁石の第３面とが当接する。しかしながら、永久磁石の第３面と、台座の第１面とは、高さ方向において所定の間隙をもって離れているので、金型の下面と台座の第１面との間に間隙が形成される。これにより、金型の下面と台座の第１面との間の通気性がよくなり、金型の下面の、置き台と重なる部分に錆が発生することを抑制することができる。
【図面の簡単な説明】
【０００９】
【図１】図１は本実施形態に係る置き台１００と、金型１０とを説明するための概略図（正面図）である。
【図２】図２は本実施形態に係る置き台１００と、金型１０とを説明するための概略図（斜視図）である。
【図３】（ａ）は本実施形態に係る置き台１００を上から見たときの外観図であり、（ｂ）は置き台１００の部分断面図である。
【図４】図４は本実施形態に係る置き台１００を下から見たときの外観図である。
【考案を実施するための形態】
【００１０】
実施形態に係る置き台１００について、図面を参照しつつ説明する。図１、２に示されるように、本実施形態に係る置き台１００は金型１０の下面１１Ｄに取り付けられる。なお、本明細書においては、図１、２に示されるように上下方向、左右方向、前後方向をそれぞれ定義する。
【００１１】
本実施形態において、金型１０は樹脂製品の製造に用いられる射出成形用の金型である。図１、２に示されるように、金型１０は略直方体形状の金属製の部材であり、その内部には不図示の冷却水路が形成されている。金型１０の上面１１Ｕ及び下面１１Ｄには、それぞれ、複数の水口１５が形成されている。水口１５を通じて、金型１０の内部の冷却水路に冷却水を循環させることができる。なお、本実施形態においては、水口１５は金型１０の下面１１Ｄから下方に２０ｍｍ突出している。
【００１２】
図３（ａ），（ｂ）に示されるように、置き台１００は、台座１１０と、永久磁石１２０と、皿ネジ１３０と、ナット１４０とを備える。台座１１０は、一方向（長手方向）に長い略直方体形状の棒状の部材である。本実施形態において、台座１１０は、廃プラスチックを用いたナイロン樹脂により形成されている。また、台座１１０は、廃プラスチックのペレットから形成する際に着色剤により着色することにより、白色に着色されている。台座１１０の長手方向の長さは２５０ｍｍであり、長手方向と直交する短手方向の長さ（幅）は１５ｍｍであり、高さは３０ｍｍである。
【００１３】
台座１１０の長手方向の両端には、それぞれ貫通孔１１１が形成されている。貫通孔１１１の下側の開口部には、ナット１４０が固定されている。貫通孔１１１の、上側の開口部（ナット１４０と反対側の開口部）には、永久磁石１２０が配置される。本実施形態において、永久磁石１２０はネオジム磁石であり、磁力の強さは３４００〜５０００ガウス程度である。また、永久磁石１２０は直径２０〜３０ｍｍ程度、高さ４〜５ｍｍ程度の円筒形状を有しており、上面（第３面の一例）と下面とを貫くように貫通孔１２１が形成されている。台座１１０の貫通孔１１１と、永久磁石１２０の貫通孔１２１とは、互いの中心軸が一致するように位置合わせされており、全体として一つの貫通孔を構成している。台座１１０及び永久磁石１２０を貫く貫通孔には、Ｍ４サイズの皿ネジ１３０が挿入され、皿ネジ１３０の先端がナット１４０に嵌合している。これにより、永久磁石１２０が台座１１０の上面に固定される。なお、永久磁石１２０の貫通孔１２１の上側の開口面積は、下側の開口面積よりも広く、皿ネジ１３０のネジ頭全体が貫通孔１２１の内部に挿入される。つまり、皿ネジ１３０のネジ頭の上面は、永久磁石１２０の上面と面一か、永久磁石１２０の上面よりも下側に位置している。
【００１４】
図３（ａ），（ｂ）に示されるように、永久磁石１２０の下面は台座１１０の上面（第１面の一例）と当接している。そのため、永久磁石１２０の上面は、永久磁石１２０の厚さ分だけ台座１１０の上面よりも上側に位置している。これにより、金型１０の下面１１Ｄに置き台１００が取り付けられたときに、金型１０の下面１１Ｄと、台座１１０の上面との間には、永久磁石１２０の厚さ分だけ隙間が形成される。
【００１５】
図４に示されるように、台座１１０の下面（第２面の一例）には長手方向と直交する短手方向に延びる１２本の溝１１２（凹部の一例）が形成されている。言い換えると、台座１１０の下面には長手方向に交互に並ぶ複数の凹凸が形成されており、台座１１０の下面は波形の形状を有している。これにより、台座１１０の下面の接地面積は、台座１１０の下面に複数の溝１１２が形成されていない場合の接地面積と比べて小さくなる。
【００１６】
＜本実施形態の作用効果＞
図１に示されるように、置き台１００は、永久磁石１２０の磁力により、金型１０の下面１１Ｄに取り付けられる。上述のように、永久磁石１２０の上面は、永久磁石１２０の厚さ分だけ台座１１０の上面よりも上側に位置している。そのため、永久磁石１２０の上面が金型１０の下面１１Ｄに当接するとき、金型１０の下面１１Ｄと、台座１１０の上面との間には、永久磁石１２０の厚さ分だけ隙間が形成される。これにより、金型１０の下面１１Ｄと台座１１０の上面との間の通気性がよくなる。例えば、金型１０をラックなどに載置しているときに、金型１０の水口１５から水が流れ出して、流れ出た水の一部が金型１０の下面１１Ｄに濡れ広がった場合であっても、金型１０の下面１１Ｄと台座１１０の上面との間に入った水を容易に乾燥させて取り除くことができる。これにより、金型１０の下面１１Ｄの、置き台１００と重なる部分に錆が発生することを抑制することができる。
【００１７】
置き台１００の台座１１０の下面には、短手方向に延びる複数の溝１１２が形成されているので、台座１１０と床面との接地面積は、複数の溝１１２が形成されていない場合と比べて小さくなっている。これにより、床面（例えば、ラックの棚面）と置き台１００との間の摩擦を小さくすることができ、金型１０を床面上で移動させることが容易となる。
【００１８】
本実施形態の置き台１００の台座１１０は、廃プラスチックを用いて形成されているので、安価に製造することができる。また、台座１１０を形成する際に、廃プラスチックのペレットに着色剤を混ぜることにより、容易に台座１１０を着色することができる。置き台１００の台座１１０を色分けすることにより、ラックに置かれた金型１０を容易に分類することができる。
【００１９】
＜変更形態＞
以上説明した実施形態は、あくまで例示に過ぎず、適宜変更しうる。例えば、置き台１００の台座１１０の形状及び寸法は、上記実施形態の例に限られず適宜変更しうる。例えば、台座１１０の長手方向の長さを２００ｍｍ以上３５０ｍｍ以下にすることができる。また、台座１１０は廃プラスチックを用いて形成されることに限られず、任意の材料で形成することができる。例えば、金属で形成することもでき、ガラス繊維を含んだエンジニアプラスチック（例えば、ガラス繊維を含んだＰＢＴ樹脂）で形成することもできる。ガラス繊維を含んだエンジニアプラスチックで形成する場合にも、廃プラスチックを用いて形成する場合と同様に、形成の際に着色剤を混入することにより所望の色に着色することができる。
【００２０】
永久磁石１２０の形状、数、磁力の強さは、必ずしも上記実施形態に限定されず適宜変更しうる。また、永久磁石１２０は必ずしもネオジム磁石でなくてもよく、例えば、サマリウムコバルト磁石等の別の永久磁石を用いてもよい。上記実施形態においては、台座１１０の長手方向の両端部に永久磁石１２０が配置されていたが、永久磁石１２０が配置される位置も適宜変更しうる。
【００２１】
上記実施形態においては、永久磁石１２０の上面が、永久磁石１２０の厚さ分だけ台座１１０の上面よりも上側に位置していたが、このような態様には限られない。例えば、台座１１０の上面と永久磁石１２０の上面とが面一となるように形成されていてもよい。そして、２つの永久磁石１２０の間において、台座１１０の上面の一部が、永久磁石１２０の上面よりも下側に下がる部分を有していてもよい。例えば、台座１１０の上面に、長手方向に沿って弓なりに下側に凹んだ凹部が形成されていてもよい。このような場合であっても、金型１０の下面１１Ｄと台座１１０の上面との間に隙間ができるため、金型１０の下面１１Ｄと台座１１０の上面との間の通気性がよくなる。
【００２２】
上記実施形態においては、台座１１０の下面には、短手方向に延びる複数の溝１１２が形成されていた。しかしながら、上記実施形態はあくまでも例示であり、溝１１２の数、形状は任意に調整できる。さらに言えば、台座１１０の下面と床面との接地面積が小さくなる限りにおいて、台座１１０の下面の形状を任意に形成することができる。例えば、短手方向に延びる複数の溝１１２を形成することに代えて、又は、短手方向に延びる複数の溝１１２を形成することに加えて、台座１１０の下面に長手方向に延びる溝を形成することができる。あるいは、台座１１０の下面に複数の半球状の突起を設けることもできる。いずれの場合においても、台座１１０の下面と床面との接地面積を小さくすることができる。これにより、床面と置き台１００との間の摩擦を小さくすることができ、金型１０を床面上で容易に移動させることができる。
【００２３】
上記実施形態においては、置き台１００は、樹脂製品の製造に用いられる射出成形用の金型１０に取り付けられていたが、必ずしも射出成形用の金型に限定されない。下方に水口が突出している金型であれば、取り付けることができる。いずれの場合においても、金型から水口を取り外すことなく、金型を載置することができる。
【符号の説明】
【００２４】
１０  金型
１５  水口
１００  置き台
１１０  台座
１２０  永久磁石
【図１】
0003231496.tif 000003
【図２】
0003231496.tif 000004
【図３】
0003231496.tif 000005
【図４】
0003231496.tif 000006
【手続補正書】
【提出日】令和3年2月8日(2021.2.8)
【手続補正１】
【補正対象書類名】実用新案登録請求の範囲
【補正対象項目名】全文
【補正方法】変更
【補正の内容】
【実用新案登録請求の範囲】
【請求項１】
金型用の置き台であって、
長手方向に長尺な棒状の台座であって、前記長手方向に直交する高さ方向の上側を向く上面及び前記高さ方向の下側を向く下面を有する台座と、
前記台座の前記上面に固定された永久磁石と、を備え、
前記永久磁石の上面は、前記台座の前記上面の少なくとも一部よりも、前記高さ方向において上側に位置することを特徴とする金型用の置き台。
【請求項２】
前記台座の前記下面は、前記高さ方向の前記上側に凹んだ凹部を有することを特徴とする請求項１に記載の金型用の置き台。
【請求項３】
前記永久磁石はネオジム磁石であり、
前記台座は廃プラスチック、又はガラス繊維を含んだエンジニアプラスチックにより形成されている請求項１又は２に記載の金型用の置き台。
【請求項４】
前記台座は、廃プラスチック、又はガラス繊維を含んだエンジニアプラスチックに混入された色材により着色されていることを特徴とする請求項３に記載の金型用の置き台。
【請求項５】
前記永久磁石には、前記高さ方向に貫通する貫通孔が形成されており、
前記永久磁石は、前記貫通孔に挿入されたネジにより前記台座に固定されている請求項１〜４のいずれか一項に記載の金型用の置き台。
【手続補正２】
【補正対象書類名】明細書
【補正対象項目名】０００７
【補正方法】変更
【補正の内容】
【０００７】
本考案の態様に従えば、金型用の置き台であって、
長手方向に長尺な棒状の台座であって、前記長手方向に直交する高さ方向の上側を向く上面及び前記高さ方向の下側を向く下面を有する台座と、
前記台座の前記上面に固定された永久磁石と、を備え、
前記永久磁石の上面は、前記台座の前記上面の少なくとも一部よりも、前記高さ方向において上側に位置することを特徴とする金型用の置き台が提供される。
【手続補正３】
【補正対象書類名】明細書
【補正対象項目名】０００８
【補正方法】変更
【補正の内容】
【０００８】
上記態様によれば、台座の上面と、永久磁石の上面とは、いずれも高さ方向の上側を向く面である。そして、永久磁石の上面は、台座の上面の少なくとも一部よりも、高さ方向において上側に位置している。置き台を金型に取り付ける際、金型の下面と永久磁石の上面とが当接する。しかしながら、永久磁石の上面は、台座の上面の少なくとも一部よりも、高さ方向において上側に位置しているので、金型の下面と台座の上面との間に間隙が形成される。これにより、金型の下面と台座の上面との間の通気性がよくなり、金型の下面の、置き台と重なる部分に錆が発生することを抑制することができる。